(57)【要約】【課題】構造が簡単で容易に組立てることができ、且つ高級感を呈すると共に結露の発生をなくすることができる組立式押入れを提供する。【解決手段】底板１の後端縁部上と両側縁部上とに直状溝７ａ、７ｂを有する後側水平枠材５Ａと両側水平枠材５Ｂ、５Ｂを固定して、後側水平枠材５Ａの直状溝７ａに背板２の下端部を挿入、支持させて立設する一方、この背板２の前面両側端縁部に両側垂直枠材６、６を固定してこれらの垂直枠材６、６の前面に設けている垂直直状溝８の下端を上記両側水平枠材５Ｂ、５Ｂの水平直状溝７ｂ、７ｂの後端に直角に連続させ、この直角に連続した直状溝７ｂ、８に両側板３、３の下端縁部と後端縁部とを挿入、支持させたのち、背板２と両側板３、３とで囲まれた上端開口部に天板４を張設、固定してあり、さらに、上記底板１と背板２、両側板３、３及び天板４を桐材から形成している。【選択図】    図１
2004263503.tif 000002
【特許請求の範囲】
【請求項１】
押入れ組立用空間部の床面上に敷設されてビス又はタッカー針により固定される平面横長長方形状の桐材からなる底板と、この底板の上面における後端縁部と両側端縁部上にビス又はタッカー針により固定され且つ上面中央部に全長に亘って直状溝を設けている後側及び両側水平枠材と、後側水平枠材の直状溝内に下端部を挿入し且つ背面を上記押入れ組立用空間部の背面側に施工している胴縁にビス又はタッカー針によって固定される桐材からなる背板と、この背板の前面両側端縁部にビス又はタッカー針によって固定され且つ下端が上記床板の両側端縁部上に固定された上記直状溝の後端にそれぞれ直角に連続する直状溝を前面中央部の全長に亘って設けている両側垂直枠材と、上記直角に連続した背板と底板との直状溝に下端縁部と後端縁部を挿入し且つ前端縁部の外側面を上記押入れ組立用空間部における既設の柱の背面に固定した受止枠材の内側面に接着することなく受止させる桐材からなる両側板と、下面における後端縁部と両側端縁部とを上記背面板の上端面と両側板の上端面とに支持させる桐材からなる天板とからなることを特徴とする組立式押入れ。
【請求項２】
底板及び背板は左右方向に複数の底板片と背板片にそれぞれ分割されていると共に、隣接する底板片の対向側端面同士と隣接する背板片の対向側端面同士とは相じゃくりによって接合されてあり、さらに、各底板片の木目方向を押入れの前後方向に向けている一方、各背板片の木目方向を押入れの高さ方向に向けていることを特徴とする請求項１に記載の組立式押入れ。
【請求項３】
両側板の対向する内面上部に棚受け材をビス止めしてこれらの棚受け材間に上側棚板を架設状態で取付けると共に、背板の内面下部と両側板の前端側に立設している柱の背面下部間とに桟部材をビスにより固定してこれらの前後桟部材間に下側棚板を架設状態で取付けるように構成していることを特徴とする請求項１に記載の組立式押入れ。
【請求項４】
平面横長長方形状の桐材からなる底板の上面における後端縁部と両側端縁部上に、上面中央部に全長に亘って直状溝を設けている後側水平枠材及び両側水平枠材をそれぞれ配設してビス又はタッカー打ちによって固定する工程と、この床板を押入れ組立用空間部の床面側に配設している根太上にビス又はタッカー打ちによって固定したのち、桐材からなる背板の下端部を上記底板の後端縁部上に固定している後側水平枠材の直状溝内に挿入、支持させた状態にして該背板を上記押入れ組立用空間部の背面側に施工している胴縁にビス又はタッカー打ちによって固定する工程と、前面中央部に全長に亘って直状溝を設けている垂直枠材を上記背板の前面両側端縁部にビス又はタッカー打ちによって固定してこれらの直状溝の下端を上記底板の両側端縁部に固定している上記両側水平枠材の直状溝の後端にそれぞれ直角に連続させる工程と、これらの直角に連続した両側の垂直枠材と水平枠材との直状溝に桐材からなる両側板の後端縁部と下端縁部をそれぞれ挿入すると共にこれらの両側板の前端縁部の外側面を上記押入れ組立用空間部における既設の柱の背面に固定した受止枠材の内側面に接着することなく受止させる工程と、上記背面板の上端面と両側板の上端面とに桐材からなる天板の下面における後端縁部と両側端縁部とを支持させる工程とからなることを特徴とする組立式押入れの施工方法。
【請求項５】
底板の後端縁部上と両側端縁部上とにそれぞれ背板と両側板とを立設、固定したのち、両側板の対向する内面上部に棚受け材をビス止めしてこれらの棚受け材間に上側棚板を架設状態で取付けると共に、背板の内面下部と両側板の前端側に立設している柱の背面下部間とに桟部材をビスにより固定してこれらの前後桟部材間に下側棚板を架設状態に取付けることを特徴とする請求項４に記載の組立式押入れの施工方法。
【請求項６】
ビス又はカッター打ちによる床板や背板等の固定作業は、ビス又はタッカー針を床板や背板等の吸放湿による伸縮を妨げない間隔毎に打ち込むことにより行われることを特徴とする請求項４に記載の組立式押入れの施工方法。
【発明の詳細な説明】
【０００１】
【発明の属する技術分野】
本発明は、木造住宅等の建物の建築時において、部屋の所定個所に設定された押入れ施工用空間部に組立てられる押入れの構造とその施工方法に関するものである。
【０００２】
【従来の技術】
建物を建築する場合、部屋の所定個所に設けられる押入れ部分の造作は、押入れの外周部分に配設されている柱や根太、胴縁等の木造軸組の内面に床パネルや壁面パネル、天井パネル等を張設して釘打ちや接着等により固着することが一般的に行われているが、木造軸組構造は施工時において多少の寸法誤差が生じていると共に吸放湿によっても狂いが生じており、従って、例えば、高層の建築物における各部屋の室内に同じ大きさの押入れを施工しようとしても、上記のような寸法誤差が発生しているので、職人が一つの押入れ毎に該押入れの寸法を測定しなおしてそれに応じた大きさのパネルを切断、形成したのち施工しなければならず、多大な労力と熟練を要することになる。
【０００３】
また、押入れを形成するための上記パネルとしては、主としてベニヤ合板を採用しているために低級なイメージを与えると共に吸放湿性に乏しくて結露や黴が発生し、布団等の収納物に悪影響を及ぼす虞れがあり、その上、パネルを木造軸組に固定している釘頭が表面に露出した状態となって貧弱な外観を呈するという問題点があった。
【０００４】
このため、一定の寸法に形成されている桐材からなる床板や両側板、背板、天板を建物の所定個所に設けられた押入れ施工用空間部内で組立ることによって簡単に押入れを施工し得るようにすると共に、上記床板や両側板、背板、天板等を桐材によって形成して高級感を付与し且つ良好な吸放湿を発揮させて結露や黴の発生を抑制することができる組立式押入れが開発されている（例えば、特許文献１参照）。
【０００５】
【特許文献１】
特開平１１−１５９１２１号公報。
【０００６】
【発明が解決しようとする課題】
しかしながら、上記床板や両側板、背板、天板等は、吸放湿性に優れている桐材から形成しているにもかかわらず、例えば、側板においてはその前後両端縁部を上記背板の側端縁部と押入れ組立用空間部の開口端に配設している既設の柱の背面とに突き合わせ状態にし、且つ側板の下端面を床板の側端縁部にダボとダボ孔とによって固定しているので、側板が吸放湿によって幅方向（前後方向）に伸縮しようとするのを規制されて押入れ内の湿度調整が困難となるばかりでなく、側板に短期間で亀裂が発生する虞れがあった。
【０００７】
また、ダボとダボ孔とによる固定手段を採用すると、ダボをダボ孔に合わせたのち圧嵌する作業に手間とり、施工性が悪いという問題点がある。さらに、床板や背板等の伸縮方向については何等の考慮もなされていないので、床板が前後方向に伸縮する一方、背板が縦方向に伸縮した場合、押入れ全体の形状に歪みが発生し、床板や背板等に一層亀裂が発生しやすくなるという問題点があった。
【０００８】
本発明はこのような問題点に鑑みてなされたもので、その目的とするところは、高級感に溢れた体裁のよい外観を呈するのは勿論、押入れ組立用空間部内での組立てが能率よく且つ正確に行え、さらに、優れた吸放湿性を発揮して結露等の発生を確実に防止し得ると共に、吸放湿による伸縮作用に亀裂や歪みを生じさせることなく円滑に対応することができる組立式押入れとその施工方法を提供するにある。
【０００９】
【課題を解決するための手段】
上記目的を達成するために本発明の組立式押入れは、請求項１に記載したように、押入れ組立用空間部の床面上に敷設されてビス又はタッカー針により固定される平面横長長方形状の桐材からなる底板と、この底板の上面における後端縁部と両側端縁部上にビス又はタッカー針により固定され且つ上面中央部に全長に亘って直状溝を設けている後側及び両側水平枠材と、後側水平枠材の直状溝内に下端部を挿入し且つ背面を上記押入れ組立用空間部の背面側に施工している胴縁にビス又はタッカー針によって固定される桐材からなる背板と、この背板の前面両側端縁部にビス又はタッカー針によって固定され且つ下端が上記床板の両側端縁部上に固定された上記直状溝の後端にそれぞれ直角に連続する直状溝を前面中央部の全長に亘って設けている両側垂直枠材と、上記直角に連続した背板と底板との直状溝に下端縁部と後端縁部を挿入し且つ前端縁部の外側面を上記押入れ組立用空間部における既設の柱の背面に固定した受止枠材の内側面に接着することなく受止させる桐材からなる両側板と、下面における後端縁部と両側端縁部とを上記背面板の上端面と両側板の上端面とに支持させる桐材からなる天板とから構成している。
【００１０】
このように構成した組立式押入れにおいて、請求項２に係る発明は、押入れを構成する上記底板及び背板を左右方向に複数の底板片と背板片にそれぞれ分割して、隣接する底板片の対向側端面同士と隣接する背板片の対向側端面同士とを相じゃくりによって接合してあり、さらに、各底板片の木目方向を押入れの前後方向に向けている一方、各背板片の木目方向を押入れの高さ方向に向けて組み立てるように構成している。
【００１１】
さらに、請求項３に係る発明は、上記両側板の対向する内面上部に棚受け材をビス止めしてこれらの棚受け材間に上棚を架設状態で取付けると共に、背板の内面下部と両側板の前端側に立設している柱の背面下部間とに桟部材をビスにより固定してこれらの前後桟部材間に下棚を架設状態で取付けるように構成していることを特徴とする。
【００１２】
また、請求項４に係る発明は、上記組立式押入れの施工方法であって、上記底板の上面における後端縁部と両側端縁部上に、上面中央部に全長に亘って直状溝を設けている後側水平枠材及び両側水平枠材をそれぞれ配設してビス又はタッカー打ちによって固定する工程と、この床板を押入れ組立用空間部の床面側に配設している根太上にビス又はタッカー打ちによって固定したのち、背板の下端部を上記底板の後端縁部上に固定している後側水平枠材の直状溝内に挿入、支持させた状態にして該背板を上記押入れ組立用空間部の背面側に施工している胴縁にビス又はタッカー打ちによって固定する工程と、前面中央部に全長に亘って直状溝を設けている垂直枠材を上記背板の前面両側端縁部にビス又はタッカー打ちによって固定してこれらの直状溝の下端を上記底板の両側端縁部に固定している上記両側水平枠材の直状溝の後端にそれぞれ直角に連続させる工程と、これらの直角に連続した両側の垂直枠材と水平枠材との直状溝に両側板の後端縁部と下端縁部をそれぞれ挿入すると共にこれらの両側板の前端縁部の外側面を上記押入れ組立用空間部における既設の柱の背面に固定した受止枠材の内側面に接着することなく受止させる工程と、上記背面板の上端面と両側板の上端面とに桐材からなる天板の下面における後端縁部と両側端縁部とを支持させる工程とからなることを特徴とする。
【００１３】
この組立式押入れの施工方法において、請求項５に係る発明は、上記底板の後端縁部上と両側端縁部上とにそれぞれ背板と両側板とを立設、固定したのち、両側板の対向する内面上部に棚受け材をビス止めしてこれらの棚受け材間に上棚を架設状態で取付けると共に、背板の内面下部と両側板の前端側に立設している柱の背面下部間とに桟部材をビスにより固定してこれらの前後桟部材間に下棚を架設状態に取付けることを特徴とする。
【００１４】
さらに、請求項６に係る発明は、床板や背板等をビス又はカッター打ちによって固定する際に、ビス又はタッカー針を床板や背板等の吸放湿による伸縮を妨げない間隔毎に打ち込むことを特徴としている。
【００１５】
【作用】
押入れ組立用空間部内に上記組立式押入れを組立てる場合、まず、桐材からなる底板の上面における後端縁部と両側端縁部上に、上面中央部に全長に亘って直状溝を設けている後側水平枠材及び両側水平枠材をそれぞれ配設してビス又はタッカー打ちによるタッカー針によって固定しておき、この床板を上記押入れ組立用空間部の床面側に配設している根太上に上記同様にビス又はタッカー針によって固定する。この際、ビス又はタッカー針を床板の吸放湿による伸縮を妨げない間隔毎に打ち込むことにより、床板の伸縮性の自由度を高めて、亀裂の発生を抑制することができる。
【００１６】
この床板の固定後、該床板における後端縁部上に背板を立設、固定する。この際、背板の下端部を上記後側水平枠材の直状溝内に挿入、支持させることによって該背板を床板上に立設するものであるから、この直状溝に沿って背板を横幅方向に自由に伸縮させることができると共に床板に対するその伸縮力の影響は上記直状溝によって遮断されてあり、従って、押入れに歪みが発生する虞れもない。また、背板も上記押入れ組立用空間部の背面側に施工している胴縁に、該背板の伸縮を妨げない間隔毎にビス又はタッカー針を打ち込むことによって固定されているので、背板に亀裂が生じる虞れは殆どない。
【００１７】
背板の前面における両側端縁部には、前面中央部に全長に亘って直状溝を設けている垂直枠材が、予め、又は床板の後端縁部上に立設した後にビス又はタッカー打ちによって固定されてあり、この垂直枠材の直状溝の下端を上記床板の両側端縁部上に固定されている両側水平枠材の直状溝の後端にそれぞれ直角に連続させた状態となるように配置されている。
【００１８】
従って、床板の両側端縁部上に両側板を組み立てる時に、該側板の下端縁部と後端縁部とを上記水平枠材と垂直枠材との直状溝に挿し込むことによって簡単且つ正確に両側板の取付けが行えると共に、側板が吸放湿によって幅方向（前後方向）に伸縮しても、水平枠材の直状溝に沿って伸縮を自由に行わせることができる。
【００１９】
さらに、両側板の前端縁部はその外側面を上記押入れ組立用空間部における既設の柱の背面に固定した受止枠材の内側面に接着することなく受止させた状態にして組み立てられるので、後端縁部を上記垂直枠材の直状溝に挿入していることと相まって幅方向の伸縮性が殆ど規制されることはなく、また、両側板が収縮してもその後端縁部を常に垂直枠材の直状溝内に収めておくことができると共に前端縁部も受止枠材の内側面に当接させた状態にしておくことができ、隙間が生じる虞れもない。
【００２０】
このように、床板の後端縁部と両側端縁部上に同一高さを有する背板と両側板とを組立てたのち、これらの背板と両側板との上端面に天板の下面における後端縁部と両側端縁部とを載置した状態に配設して天板を組み込むことにより、前方が開口した押入れを構成する。
【００２１】
この天板の取付けは、例えば、その下面における四方周縁部に矩形枠を固着しておき、この矩形枠を背板と両側板とで囲まれた上端開口部に嵌め込むことによって該矩形枠から突出している天板の後端縁部と両側端縁部の下面を背板と両側板の上端面に受止させる取付構造を採用することができ、また、天板を上記のようにその伸縮を妨げない間隔毎にビス又はタッカー針を打ち込むことによって背板や両側板の上端部に固定してもよい。さらに、天板を固定部と上方に開放可能な天板部とに分割している構造としておいてもよい。
【００２２】
【発明の実施の形態】
次に、本発明の具体的な実施例を図面について説明すると、図１は押入れの分解斜視図、図２はその組立てた状態の縦断側面図であって、押入れは、平面横長長方形状の底板１と、横幅がこの底板１の左右方向の幅に等しい一定高さを有する正面矩形状の背板２と、横幅（前後方向の幅）が底板１の前後方向の幅に等しく且つ高さが上記背板２の高さに等しい両側板３、３と、底板１と略同大、同形の天板４と、底板１の上面における後端縁部上と両側端縁部上とにタッカー打ちによってそれぞれ固定される角棒形状の後側水平枠材５Ａ及び両側水平枠材５Ｂ、５Ｂと、上記背板２の前面両側端縁部にタッカー打ちによって固定される角棒形状の両側垂直枠材６、６とを主要な部材とし、これらの部材を組み立てることによって構成されている。
【００２３】
上記底板１と背板２、両側板３、３及び天板４は一定厚みを有する桐材からなり、この桐材により押入れに高級なイメージを与えると共に、桐材のもつ吸放湿作用によって押入れ内を適度な乾燥状態に保持することができる。一方、上記角棒形状の後側水平枠材５Ａと両側水平枠材５Ｂ、５Ｂ、及び両側垂直枠材６、６は桐材その他の適宜な木質材からなり、後側水平枠材５Ａと両側水平枠材５Ｂ、５Ｂの上面中央部には全長に亘って上記背板２と両側板３、３との下端部が挿入可能な幅を有する水平直状溝７ａ、７ｂをそれぞれ設けている。同様に、両側垂直枠材６、６の前面中央部にも全長に亘って上記側板３、３の後端縁部が挿入可能な幅を有する垂直な直状溝８をそれぞれ設けている。
【００２４】
なお、底板１の後端縁部上と両側端縁部上とに後側水平枠材５Ａと両側水平枠材５Ｂ、５Ｂとをそれぞれ取付けた時に、後側水平枠材５Ａに設けている直状溝７ａの両端が両側水平枠材５Ｂ、５Ｂに設けている直状溝７ｂ、７ｂの後端に直角に連続するように互いに接合する端面を斜め４５度の傾斜端面に形成しておくか、或いは、少なくともいずれか一方の端部を直状溝７ａ、７ｂが直角に連続するように切欠きしておく。
【００２５】
また、上記底板１は一枚物であってもよいが、図においては横幅（左右方向の幅）方向に一定の幅（５００ｍｍ  程度）毎に複数の底板片１ａに分割されていると共に、隣接する底板片１ａ、１ａの対向する分割側端部を段状の相じゃくり実１ｂ、１ｂに形成している。同様に、上記背板２も左右方向に複数の背板片２ａに分割されていると共に、隣接する背板片２ａ、２ａの対向する分割側端部を段状の相じゃくり実２ｂ、２ｂに形成していると共に、両側板３、３も前後に二分割してこれらの側板片３ａ、３ａの対向する分割端部を段状の相じゃくり実３ｂ、３ｂに形成している。このように、底板１や背板２、両側板３、３を数分割した形状に形成しておくことにより、取り扱いが容易で施工すべき押入れ組立用空間部Ａ（図３に示す）に対する搬入、及び、施工作業も円滑且つ能率よく行える。
【００２６】
さらに、底板１を複数分割してなる上記全ての底板片１ａは図１０に示すように、その木目方向を分割側端面の長さ方向、即ち、前後方向に向けてあり、背板２の全ての背板片２ａ及び両側板３、３の側板片３ａ、３ａの木目方向を上下方向、即ち、高さ方向に向けている。従って、床板１と背板２は吸放湿によって左右方向（横幅方向）に伸縮するが、床板１は前後方向に殆ど伸縮することはなく、背板２及び両側板３、３も高さ方向には殆ど伸縮することはない。
【００２７】
従って、底板１と背板２とは吸放湿によって左右方向に略同じ寸法だけ伸縮するので、底板１の両側水平枠材５Ｂ、５Ｂ間の間隔と背板２の両側垂直枠材６、６間の間隔とが常に同じ間隔に維持され、両側水平枠材５Ｂ、５Ｂに設けている水平直状溝７ｂ、７ｂと両側垂直枠材６、６に設けている垂直な直状溝８、８とが底板１と背板２の横幅方向の伸縮にもかかわらず、互い平行する同一垂直面上でそれぞれ直角に連なった形態を保持し、歪みの生じる虞れは殆どない。
【００２８】
一方、天板４の下面における四方端縁部には四方端面から背板２や両側板３、３の厚みに相当する幅間隔を存して矩形枠９をタッカー針１０によって一体に取付けて、この矩形枠９を背板２と両側板３、３とで囲まれた上端開口部に嵌め込むことによって該矩形枠９から突出している天板４の後端縁部と両側端縁部の下面を背板２と両側板３、３の上端面に受止させる取付構造としている。
【００２９】
この際、上記矩形枠９をさらに背板２や両側板３、３の上端部にタッカー針によって固定する場合には天板４の木目方向を前後方向に向けた構造としておき、上記底板１や背板２と同じ方向に伸縮させるようにしておく。なお、天板４も数分割しておき、その一部を背板２と両側板３、３との上端部に固定する固定部とし、他の一部を上方に開放可能な天板部に形成しておいてもよい。
【００３０】
このように底板１と背板２、両側板３、３、天板４、及び後側水平枠材５Ａ、両側水平枠材５Ｂ、５Ｂ、両側垂直枠材６とによって組み立てられる押入れの構造は、図３に示すように建物の室内における押入れ組立用空間部Ａの床面側に横架されている既設の根太Ｂ、Ｂ上に図４に示すように、底板１を敷設してタッカー針１０により根太Ｂに固定してあり、この底板１の後端縁部上に同じくタッカー針１０によって固定している後側水平枠材５Ａの直状溝７ａに背板２の下端部を挿入、支持させると共にその背面を押入れ組立用空間部Ａの背面側に横架している既設の胴縁Ｃ、Ｃ・・に当てがうことにより立設し、これらの胴縁Ｃにタッカー針１０によって固定している。
【００３１】
さらに、底板１の両側端縁部上にタッカー針１０によって固定している両側水平枠材５Ｂ、５Ｂと、背板２の両側端縁部の前面に同じくタッカー針１０によって固定している両側垂直枠材６、６とにそれぞれ設けられていて、互いに直角に連続した両側の水平直状溝７ｂと垂直直状溝８とにそれぞれ側板３の下端縁部と後端縁部とを挿入していると共に、これらの両側板３、３の前端縁部の外側面を図９に示すように上記押入れ組立用空間部Ａにおける既設の柱Ｄ、Ｄの背面にビス等によって固定している受止枠材Ｅ、Ｅの内側面に接着することなく受止させている。
【００３２】
従って、両側板３、３は、その前後端面を柱Ｄの背面と垂直な直状溝８の溝底から僅かに離間させた状態にして取付けておくことにより、吸放湿による幅方向（前後方向）の伸縮が規制されることなく自由に行える取付構造となっている。
【００３３】
また、天板４はその下面における四方外周縁部に取付けている矩形枠９を背板２と両側板３、３とで囲まれた上端開口部に嵌め込むことによって該矩形枠９から突出している天板４の後端縁部と両側端縁部の下面を背板２と両側板３、３の上端面に受止させることによって取付けられている。
【００３４】
このように構成した押入れは、内部に棚板を設けていないクロゼット構造としているが、図１５に示すように、その内部に上下棚板１１、１２を取付けた押入れ構造としてもよい。
【００３５】
上側の棚板１１は、その前後方向の幅を底板１の前後方向の幅よりも狭い１／２程度の幅に形成されてあり、両側板３、３の対向する内面の上部における後半部に棚受け材１３、１３をビス１４によって固着し、これらの棚受け材１３、１３に該棚板１１の両側端部下面を支持させてこの棚板１１を両側棚受け材１３、１３間に架設状態で取付けている。
【００３６】
一方、下側の棚板１２は、その前後方向の幅を形成すべき押入れの前後方向の空間幅に略等しく形成されてあり、背板２の内面下部と上記両側板３、３の前端側に立設している上記柱Ｄ、Ｄの背面下部間とに前後桟部材１５、１５をビス１４によって固着し、これらの前後桟部材１５、１５に該下側棚板１２の前後端部の下面を支持させてこの棚板１２を前後桟部材１５、１５間に架設状態で取付けている。
【００３７】
この時、両側板３、３は、それぞれ２枚の側板片３ａ、３ａに分割されていてこれらの側板片３ａ、３ａに上記棚受け材１３、１３の両端部をビス１４、１４により固着してあり、これらの側板片３ａ、３ａ同士を接合させている相じゃくり実３ｂ、３ｂの突き合わせ対向端面間の隙間と上述したように規制されていない前後端面とによって前後方向の伸縮を吸収して自由に伸縮させることができる。なお、ビス１４を数本打ち込む場合には、隣接するビス１４、１４間の間隔を側板３が幅方向に伸縮するのを妨げない間隔に設定する。背板２に対する桟部材１５のビスによる取付構造もこの側板３と同様である。
【００３８】
上記上側の棚板１２の前方側における押入れの開口前端の上部には、図２に示すように既設の鴨居Ｅが横架状態に配設されてあり、この鴨居Ｅ上に設けている壁Ｆの背面に接するように押入れの開口前端の上部に張設しているタレ壁板１６を配設している。なお、このタレ壁板１６は、その背面における上端縁部と両側縁部をそれぞれ天板４の前端面と両側板３、３の上部前端面とにビス又はタッカー針によって固定している。
【００３９】
次に、上記のように構成した押入れの組立方法を説明する。まず、図５に示すように複数枚の底板片１ａを互いに相じゃくり実１ｂ、１ｂ同士を接合させながら左右方向に並列させて平面横長長方形状の底板１を形成したのち、この底板１の上面における後端縁部上と両側端縁部上とに水平直状溝７ａ、７ｂを設けている後側水平枠材５Ａと両側水平枠材５Ｂ、５Ｂとを互いに直状溝７ａ、７ｂが直角に連通するように組み合わせてその直状溝７ａ、７ｂの溝底から底板１にタッカー打ちによってタッカー針１０を打ち込むことにより固定する。
【００４０】
なお、タッカー１０の打ち込む間隔は桐材からなるこの底板１の左右方向の伸縮を妨げないピッチ（１００  〜１５０ｍｍ  ）でもって打ち込むものである。以下、タッカー打ちによるタッカー針１０の打ち込み間隔はこのピッチでもって行う。通常、桐材からなる上記底板１等の吸放湿による収縮は、５００ｍｍ  幅に対して１〜３ｍｍ程度であり、例え、底板１等の幅方向の収縮力がタッカー針１０に作用しても、タッカー針１０の適度の撓りによってその収縮力を吸収することができる。
【００４１】
このように、底板１の上面における後端縁部上から両側端縁部上にかけて上記のように後側水平枠材５Ａと両側水平枠材５Ｂ、５Ｂとを固定したのち、この底板１を押入れ組立用空間部Ａの床面側に横架されている既設の根太Ｂ、Ｂ上に敷設してタッカー針１０により該根太Ｂに固定する。この固定状態においては、底板１の後端面は押入れ組立用空間部Ａにおける背面側の胴縁Ｃの位置に達しており、前端面は柱Ｃの背面に達している。
【００４２】
底板１の固定後、図６に示すように、この底板１の後端縁部上に固定している上記後側水平枠材５Ａの水平直状溝７ａ上に背板２を立設、固定する。即ち、複数枚の背板片２ａを互いに相じゃくり実２ｂ、２ｂ同士を接合させ且つこれらの背板片２ａの下端部を上記水平直状溝７ａに挿入、支持させながら左右方向に並列させて背板２を形成すると共に、この背板２の背面を上記胴縁Ｃの前面に当接、受止させた状態にしてタッカー打ちによりタッカー針１０を該背板２の伸縮を妨げない間隔毎に打ち込むことによって固定する。
【００４３】
さらに、前面中央部に全長に亘って垂直直状溝８を設けている垂直枠材６、６を上記背板２の前面における両側端縁部にその直状溝８の溝底から背板２にタッカー針１０を打ち込むことにより固定し、図７に示すように、これらの垂直枠材６、６の直状溝８、８の下端を上記底板１の両側端縁部上に固定している両側水平枠材５Ｂ、５Ｂの水平直状溝７ｂ、７ｂの後端にそれぞれ直角に連続させた状態にする。なお、背板２の前面両側端縁部に対するこれらの垂直枠材６、６の固定は、背板２を底板１の後端縁部上に立設する前に行っておいてもよく、上記のように立設後、行ってもよい。
【００４４】
しかるのち、図８に示すように、底板１の両側端縁部上に固定している上記両側水平枠材５Ｂ、５Ｂの水平直状溝７ｂ、７ｂ上に両側板３、３をそれぞれ立設、固定する。即ち、二枚の側板片３ａ、３ａを互いに相相じゃくり実３ｂ、３ｂ同士を接合させ且つこれらの側板片３ａ、３ａの下端部を上記水平直状溝７ｂに挿入、支持させながら前後方向に並列させてそれぞれの側板３、３を形成すると共に、後側の側板片３ａ、３ａの垂直な後端縁部を背板２の両側端縁部に固定している上記垂直枠材６、６の垂直直状溝８、８にそれぞれ挿入、支持させた状態にする。
【００４５】
さらに、これらの両側板３、３の前端は、押入れ組立用空間部Ａの開口前端の両側部に立設している既設の柱Ｄ、Ｄの背面に吸放湿による側板３の伸縮を吸収することができる僅かな間隔を存して達してあり、その前端縁部の外側面を図９に示すように、上記柱Ｄ、Ｄの背面にビスや螺子等によって固定している受止枠材Ｅ、Ｅの内側面に接着させることなく受止させている。
【００４６】
このように、底板１の後端縁部と両側端縁部とに同一高さを有する背板２と両側板３、３とを立設、固定したのち、底板１と略同大、同形の天板４を配設することによって、図１０に示すように、前端が全面的に開口した押入れを組み立てるものである。
【００４７】
上記天板４は、その下面における四方外周縁部に図２に示すように、矩形枠９をタッカー針１０によって固定してあり、この矩形枠９を上記背板２と両側板３、３とで囲まれた上端開口部に嵌め込むことによって、該矩形枠９から突出している天板４の後端縁部と両側端縁部の下面を背板２と両側板３、３の上端面に受止させた取付構造としている。
【００４８】
この場合、矩形枠９をタッカー針１０によって背板２や両側板３、３の上端部に固定することにより天板４を固定してもよい。また、天板４を二分割して一方を固定し、他方を開口可能な構造にしてもよい。
【００４９】
こうして組立てられた押入れは、内部に棚板を設けていないクロゼット構造の押入れであるが、内部に棚板を設けた押入れ構造を施工する場合には、引き続いて次のような施工を行う。
【００５０】
まず、図１１に示すように、側板３の前後幅の１／２程度の長さを有する棚受け材１３、１３を両側板３、３の対向する内面の上部における後端部にビス１４によって固定し、しかるのち、この棚受け材１３、１３間に前後方向の幅が側板３の前後幅の１／２程度に形成されている上側棚板１１を架設して該上側棚板１１の両側端部の下面を棚受け材１３、１３に支持させ、ビスによって棚受け材１３、１３に固定することによって上側棚枠１１を施工する（図１２参照）。
【００５１】
一方、下側棚板１２の施工は、まず、図１３に示すように、背板２の内面下部と上記両側板３、３の前端側に立設している上記柱Ｄ、Ｄの背面下部間とに前後桟部材１５、１５をビス１４によって固定する。しかるのち、図１４、図１５に示すように、これらの前後桟部材１５、１５間に前後方向の幅が側板３の前後幅に略等しく形成されている下側棚板１２を架設して該下側棚板１２の前後端部の下面を支持させ、タッカー針１０を前後桟部材１５、１５に打ち込むことによって下側棚板１２の施工を完了するものである。
【００５２】
この下側棚板１２は一枚物であってもよいが、図に示すように左右に少なくとも二分割され且つ木目方向を前後方向に向けた棚板片１２ａ  、１２ａ  から形成することが好ましい。さらに、これらの棚板片１２ａ  、１２ａ  は、その対向する側端部を相じゃくり実によって接合するように形成してあり、従って、床板１や背板２と同様に、吸放湿による左右方向の伸縮が殆ど規制されることなく行われて、亀裂等の発生をなくすることができる。なお、上下棚板１１、１２の上面外周部には周枠材１７、１８がタッカー打ちによって固定される。
【００５３】
このように、上下棚板１１、１２を施工したのち、既設の鴨居１６の上方空間に臨ませている上側棚板１１から上方部の押入れの開口前端にタレ壁板１６を張設して、その上端縁部と両側縁部をそれぞれ天板４の前端面と両側板３、３の上部前端面とにビス又はタッカー針によって固定し、しかるのち、鴨居１６の上方空間部に上壁Ｆを施工することにより、押入れの施工を完了するものである。なお、以上の実施の形態においては、床板１や背板２の固定等をタッカー針１０によって行っているが、タッカー針１０に代えてビスによる固定を採用してもよい。
【００５４】
【発明の効果】
以上のように本発明の組立式押入れによれば、請求項１に記載したように、押入れを構成する床板や背板、両側板等が桐材からなるものであるから、優れた外観を呈して高級感のイメージをかもし出すことができると共に、桐材のもつ良好な吸放湿性によって結露等の発生を防止することができる。
【００５５】
さらに、底板の後端縁部上と両側縁部上とに直状溝を設けている後側及び両側水平枠材をビス又はタッカー針により固定して、その後側水平枠材の直状溝に背板の下端部を挿入、支持させているので、背板が吸放湿によって伸縮しても、この直状溝の長さ方向に自由に伸縮させることができると共に、この直状溝によって背板の伸縮力が床板に伝達するのを阻止して押入れに歪みが発生する虞れをなくすることができる。その上、背板の固定は、上記押入れ組立用空間部の背面側に施工している胴縁に、該背板の伸縮を妨げない間隔毎にビス又はタッカー針を打ち込むことによって行われているので、背板に亀裂が生じる虞れも殆どない。
【００５６】
さらにまた、背板の前面における両側端縁部には、前面中央部に全長に亘って直状溝を設けている垂直枠材がビス又はタッカー打ちによって固定されてあり、この垂直枠材の直状溝の下端を上記床板の両側端縁部上に固定されている両側水平枠材の直状溝の後端にそれぞれ直角に連続させているので、床板の両側端縁部上に両側板を組み立てる時に、該側板の下端縁部と後端縁部とを上記水平枠材と垂直枠材との直状溝に挿し込むことによって簡単且つ正確に両側板の取付けを行うこができると共に、側板が吸放湿によって幅方向（前後方向）に伸縮しても、水平枠材の直状溝に沿って伸縮を自由に行わせることができる。
【００５７】
その上、上記両側板の前端縁部は、その外側面を上記押入れ組立用空間部における既設の柱の背面に固定した受止枠材の内側面に接着することなく受止させた状態にして組み立てられるので、後端縁部を上記垂直枠材の直状溝に挿入していることと相まって幅方向の伸縮性が殆ど規制されることはなく、また、両側板が収縮してもその後端縁部を常に垂直枠材の直状溝内に収めておくことができると共に前端縁部も受止枠材の内側面に当接させた状態にしておくことができ、隙間が生じる虞れもない。
【００５８】
また、請求項２に記載したように、上記底板及び背板を左右方向に複数の底板片と背板片にそれぞれ分割していると共に、隣接する底板片の対向側端面同士と隣接する背板片の対向側端面同士とを相じゃくりによって接合しているので、底板や背板が幅方向に伸縮しても相じゃくりによって隙間を生じさせることなく常に互いに接合した形態を維持させておくことができ、体裁のよい外観を呈することができる。その上、底板や背板が小版サイズの底板片や背板片に分割しているから取り扱いが容易で施工すべき押入れ組立用空間部に対する搬入、及び、施工作業も円滑且つ能率よく行える。
【００５９】
さらに、底板を複数分割してなる上記全ての底板片は、その木目方向を分割側端面の長さ方向、即ち、前後方向に向けてあり、背板の全ての背板片及び両側板の側板片の木目方向を上下方向、即ち、高さ方向に向けているので、床板と背板が吸放湿によって左右方向（横幅方向）に伸縮しても、床板は前後方向に殆ど伸縮することはなく、背板及び両側板も高さ方向には殆ど伸縮することはない。その上、底板と背板とは吸放湿によって左右方向に略同じ寸法伸縮するので、底板の両側水平枠材間の間隔と背板の両側垂直枠材間の間隔とを常に同じ間隔に維持することができ、両側水平枠材に設けている水平直状溝と両側垂直枠材に設けている垂直な直状溝とが底板と背板の横幅方向の伸縮にもかかわらず、互い平行する同一垂直面上でそれぞれ直角に連なった形態を保持し、歪みの生じる虞れは殆どない。
【００６０】
また、押入れの施工方法によれば、後端縁部上と両側端縁部上とに、直状溝を設けている後側水平枠材及び両側水平枠材を固定している底板を押入れ組立用空間部の底面上に敷設、固定したのち、後側水平枠材の直状溝に背板の下端部を挿入、支持させた状態にして該背板を上記押入れ組立用空間部の背面側に施工している胴縁に固定すると共に、この背板の前面両側端縁部に直状溝を設けている垂直枠材を固定して該直状溝の下端を上記底板の両側水平枠材の直状溝の後端にそれぞれ直角に連続させた状態にし、これらの直角に連続した直状溝に両側板の後端縁部と下端縁部をそれぞれ挿入し、これらの両側板の前端縁部の外側面を上記押入れ組立用空間部における既設の柱の背面に固定した受止枠材の内側面に接着することなく受止させたのち、天板を配設するものであるから、押入れ施工用空間部に対する押入れの組立てが熟練を要することなく能率よく且つ正確に行うこができる。
【図面の簡単な説明】
【図１】本発明押入れの簡略分解斜視図、
【図２】組立てた状態の縦断側面図、
【図３】押入れ組立用空間部の簡略斜視図、
【図４】組立てた押入れの簡略斜視図、
【図５】後端縁部と両側端縁部に直状溝を有する水平枠材を固定した底板の斜視図、
【図６】背板を立設、固定した状態の簡略斜視図、
【図７】背板の両側端縁部に直状溝を有する垂直枠を固定した状態の簡略斜視図、
【図８】底板の両側端縁部上に両側板を立設した状態の簡略斜視図、
【図９】側板の取付け状態を示す横断面図、
【図１０】組立てた押入れの簡略斜視図、
【図１１】両側板の対向内面の上部に棚受け材を固定する状態の簡略斜視図、
【図１２】上側棚板を取付けた状態の簡略斜視図、
【図１３】前後桟部材を取付ける状態の簡略斜視図、
【図１４】下側棚板を施工する状態の簡略斜視図、
【図１５】上下棚板を有する押入れの簡略斜視図。
【符号の説明】
１  底板
１ａ  底板片
１ｂ  相じゃくり実
２  背板
２ａ  背板片
２ｂ  相じゃくり実
３  側板
４  天板
５Ａ  後側水平枠材
５Ｂ  両側水平枠材
６  両側垂直枠材
７ａ、７ｂ、８  直状溝
１０  タッカー針
１１  上側棚板
１２  下側棚板
Ａ  押入れ組立用空間部
Ｂ  根太
Ｃ  胴縁
Ｄ  柱
【図１】
2004263503.tif 000003
【図２】
2004263503.tif 000004
【図３】
2004263503.tif 000005
【図４】
2004263503.tif 000006
【図５】
2004263503.tif 000007
【図６】
2004263503.tif 000008
【図７】
2004263503.tif 000009
【図８】
2004263503.tif 000010
【図９】
2004263503.tif 000011
【図１０】
2004263503.tif 000012
【図１１】
2004263503.tif 000013
【図１２】
2004263503.tif 000014
【図１３】
2004263503.tif 000015
【図１４】
2004263503.tif 000016
【図１５】
2004263503.tif 000017